(57)【要約】  歯科インプラントは、一次クラウンと二次クラウンである２つのインプラント部材を備える。二次クラウンは、二次クラウンの外殻に装着される義歯又はブリッジの移動台座の役割を担う。二次クラウンの外殻は、少なくとも１つの面で少なくとも略円形状又は円弧形状をなし、義歯又は被せ物の支承部の中で旋回揺動自在に嵌合している。【選択図】図１
2010500138.tif 000002
【特許請求の範囲】
【請求項１】
互いに接続される２つのインプラント部材である一次クラウン（３）と二次クラウン（４）からなり、
前記二次クラウン（４）が、該二次クラウン（４）の外殻（６）に被せられる義歯（５）又はブリッジを動かす台座であり、
前記二次クラウン（４）の前記外殻（６）が、少なくとも１つの面において、少なくとも円弧形状をなし、これにより、前記二次クラウン（４）の前記外殻（６）が、前記義歯（５）又はブリッジの支承部（７）で旋回揺動自在に嵌合する歯科インプラントであって、
前記義歯（５）又はブリッジが、前記支承部（７）用の切り欠き部（８）を備え、
前記一次クラウン（３）が少なくとも円弧形状で構成した部分（１１）を備え、
該部分（１１）に相補的な形状をなす受け部（１２）に前記部分（１１）が入り込むことを特徴とする歯科インプラント。
【請求項２】
前記外殻（６）が部分球状に形成されるとともに、前記義歯（５）又はブリッジの前記支承部（７）に、少なくとも２つの軸面周りに旋回揺動自在に嵌合することを特徴とする請求項１に記載の歯科インプラント。
【請求項３】
前記支承部（７）が、前記二次クラウン（４）の前記外殻（６）に対して、少なくとも部分的に相補的な形状をなす部分を備えることを特徴とする請求項１又は２記載の歯科インプラント。
【請求項４】
前記支承部（７）が、前記義歯（５）又はブリッジに形成された切り欠き部（８）の中に嵌込み可能な別個の部品であることを特徴とする請求項１乃至３いずれか１項に記載の歯科インプラント。
【請求項５】
前記二次クラウン（４）が、空隙部を形成することなく前記支承部（７）に嵌合することを特徴とする請求項１乃至４いずれか１項に記載の歯科インプラント。
【請求項６】
前記二次クラウン（４）の前記外殻（６）が、上方に突出する突起部（９）を備え、
該突起部が前記支承部（７）内で窪んだ前記切り欠き部（１０）に入り込むことを特徴とする請求項１乃至５いずれか１項に歯科インプラント。
【請求項７】
前記突起部（９）が前記支承部（７）に入り込むとともに前記突起部周りに空隙部が形成されることを特徴とする請求項６記載の歯科インプラント。
【請求項８】
前記一次クラウン（３）と前記二次クラウン（４）間の接続が相補的形状をなす部分間で行なわれることを特徴とする請求項１乃至７いずれか１項に記載の歯科インプラント。
【請求項９】
前記一次クラウン（３）の部分（１１）が円錐状に形成されるとともに該部分に相補的な形状をなす二次クラウン（４）の受け部（１２）に進入し、前記一次クラウン（３）と前記二次クラウン（４）の接続がなされることを特徴とする請求項１乃至８いずれか１項に記載の歯科インプラント。
【請求項１０】
前記一次クラウン（３）の部分（１７）が、球状に形成されるとともに該部分に相補的な形状をなす二次クラウン（４）の受け部（１８）に嵌入し、前記一次クラウン（３）と前記二次クラウン（４）間の接続がなされることを特徴とする請求項１乃至９いずれか１項に記載の歯科インプラント。
【請求項１１】
前記二次クラウン（４）に形成された球状の前記受け部（１８）が、前記二次クラウン（４）の球状の前記外殻に対して偏心して形成されることを特徴とする請求項１０記載の歯科インプラント。
【請求項１２】
前記一次クラウン（３）の球状の前記部分（１７）及び／又は前記二次クラウン（４）に形成される球状の前記受け部（１８）が、弾性を有するように形成されることを特徴とする請求項１０又は１１記載の歯科インプラント。
【請求項１３】
前記一次クラウン（３）の球状の前記部分（１７）及び／又は前記二次クラウン（４）に形成される球状の前記受け部（１８）が、可撓性を有するとともに弾力性を有する硬質ゴムなどの材料から形成されることを特徴とする請求項１２記載の歯科インプラント。
【請求項１４】
前記切り欠き部が、前記一次クラウン（３）の球状の前記部分（１７）及び／又は前記二次クラウン（４）に形成される球状の前記受け部（１８）に弾性機能を付与することを特徴とする請求項１２又は１３に記載の歯科インプラント。
【請求項１５】
前記二次クラウン（４）に形成された前記受け部（１８）が、中心角１８０°以上の角度で球状に形成されることを特徴とする請求項１０乃至１４いずれか１項に記載の歯科インプラント。
【請求項１６】
前記一次クラウン（３）と前記二次クラウン（４）の互いに噛み合う部分の縁部に面取り部（１４又は１５）が形成されることを特徴とする請求項１乃至１５いずれか１項に記載の歯科インプラント。
【発明の詳細な説明】
【技術分野】
【０００１】
本発明は、請求項１のプレアンブルに記載される一次クラウンと二次クラウンからなるインプラント部材を有する歯科インプラントに関する。
【背景技術】
【０００２】
この種の歯科インプラントは特許文献１に開示される。特許文献１に開示される歯科インプラントは患者の顎に取り付けられるフィクスチャを備える。フィクスチャは、例えば、ボルト接続によって、一次クラウンと接続する。一次クラウンは、円錐状に形成され、二次クラウンの装着が可能となる。二次クラウンは、義歯又はブリッジの移動台座として用いられる。
一次クラウンと二次クラウン間の接続は、二次クラウンの切り欠き部に一次クラウンの円錐形状部分を進入させることによりなされる。一次クラウンの円錐状部分の互いに対向する外面が、異なる円錐角度を備えることにより、狭い角度範囲で歯科インプラントの調整を行うことが可能となる。
【０００３】
特許文献２は、互いに接続する一次クラウンと二次クラウンからなる２つのインプラント部材を有する歯科インプラントを開示する。特許文献２のインプラント部材は、患者の顎に固定されるフィクスチャを備え、フィクスチャが一次クラウンと嵌合する。
二次クラウンは、２つのボールヘッドを備える接続部材から形成される。一のボールヘッドは一次クラウンと接続し、他のボールヘッドは義歯の移動台座としての機能を担う。
一次クラウンと二次クラウン間の動作自由度と二次クラウンとピンの間の動作自由度が相違する。
しかしながら、実施の上で、構成するのに比較的多くの工程を要すること及び歯科インプラントの軸方向寸法が大きくなることが問題となる。
【先行技術文献】
【特許文献】
【０００４】
【特許文献１】独国特許出願公開第102004018512A1号公報
【特許文献２】米国特許第5,480,304号明細書
【発明の概要】
【発明が解決しようとする課題】
【０００５】
以上の先行技術を前提にして本発明が対象とする課題は、一次クラウンと二次クラウンを有する歯科インプラントが接続部の機能性及び耐性を損なうことなく、インプラント軸間の角度偏差を、一次クラウン、二次クラウン及び装着した義歯又はブリッジにより調整できるように構成することである。嵌込み又は取外すときに、義歯又はブリッジが傾くことを防ぐため、色々な空間方向で角度調整が可能であるとの目的に適していることになる。
【課題を解決するための手段】
【０００６】
本発明は、上述の課題を、請求項１に記載の特徴により解決する。従属請求項には目的に応じた変形例を記載している。
【０００７】
本発明による歯科インプラントは、互いに接続される一次クラウンと二次クラウンである２つのインプラント部材を備える。
二次クラウンには、義歯又はブリッジが固定される。二次クラウンの外殻は、少なくとも１つの面において、円形状、円弧形状又はこれらに近似する形状に形成され、義歯又は被せ物に配される対応する支承部に対して旋回揺動自在に嵌合する。これにより、義歯又は被せ物の旋回揺動性が実現されるとともに可動範囲が広がり、人体構造に応じて、二次クラウンの歯科インプラント長手方向軸に対する角度調整が可能となる。結果として、機能的観点からだけでなく技術的観点からも、改善された取付結果を得ることが可能となる。
【０００８】
円弧形状で設計した二次クラウンの外殻と、義歯又は被せ物の中に形成される相補的形状をなす支承部が、簡単な構造的方法により具体化される追加のジョイントが開示される。支承部は、義歯又は被せ物内において、切り欠き部として形成され、二次クラウンの円弧形状の外殻面を収容する。この実施例は、特に簡単な構造に特徴付けられる。
【０００９】
好ましい変形例によれば二次クラウンの外側外殻面が、球状又は少なくとも部分球状に形成される。外殻面は、義歯又は被せ物に形成されるとともに相補的形状をなす支承部に、旋回揺動自在に嵌合する。部分球状の構成を、円弧形状の構成を三次元に拡張したものと解釈すると、一の動作だけでなく、合計２方向の異なる空間方向の追加の回転動作を得ることができる。これにより、二次クラウンが、義歯又はブリッジに対して、２つの旋回揺動方向で支承される。したがって、二次クラウンに対する義歯又は被せ物の更なる調整が可能となる。この調整機能により、二次クラウンは、義歯又はブリッジを取付けるとき並びに取外すときにおいて、対応する一次クラウンが取り付けられた二次クラウンの傾きを防ぐ動作をもたらすことができる。これは特に、明確に異なる軸をそれぞれ有する一次と二次クラウンを備える多数のインプラントが対象になるときに当てはまる。
円形状の構造に対する上述の利点又は可能な実施形態は、球状又は部分球状の構造にも同様に当て嵌まる。
【００１０】
義歯又はブリッジ内の支承部が、二次クラウンの外殻に対して少なくとも部分的に相補的に形成される。相補的に形成された部分では、二次クラウンの外殻が支承部の内面に面で当接し、インプラント部材間に作用する力が、この面接触を介して均等に配分される。この結果、応力ピークが防止される。
【００１１】
義歯又はブリッジの望ましくないぐらつきを防ぐことを目的として、義歯又は被せ物中の支承部に二次クラウンを、少なくとも略空間を生じさせることなく、嵌合することができる。しかしながら、噛む力を、義歯を介して、強く顎堤粘膜に伝達して反発弾性伸縮の機能を達成するために、空間を有する状態での嵌合が望まれる場合もある。
有益な別の実施形態によれば、二次クラウンの外殻の上方に突出する突起部が形成される。突起部は、支承部に関連して形成された凹状の切り欠き部に入り込むとともに動作空間を形成する。この動作空間の範囲で、二次クラウンは、与えられた自由度に従い、義歯又はブリッジに対して、所望の旋回揺動動作を行うことが可能となる。一方で、旋回揺動動作の制限は、二次クラウンの外殻にある突起部が、支承部に存する切り欠き部の側壁に当接することによりなされる。このように形成されるストッパーが、義歯又はブリッジに対する二次クラウンの相対的な旋回揺動動作の効果的で簡単に実現できる制限手法を具現化する。
【００１２】
別の実施形態において、少なくとも円形状又は円弧形状の部分、目的に合致する球状又は部分球状に形成した部分が、更に、一次クラウンに形成される。当該形成部分が二次クラウンに形成される相補的形状をなす受け部に進入することにより、一次クラウンと二次クラウンの間にも回転動作が追加的に与えられる。これにより、従来技術での実施方法と比較して、一次クラウンと二次クラウン間の相対位置を調整するための更なる動作機能を得ることができる。円形状の部分を用いた実施方法では、一方向の回転動作機能、球状の部分を用いた実施方法では２方向の回転動作機能を得ることができる。
【００１３】
好ましい変更形態によれば、一次クラウンのボールヘッドが嵌合する二次クラウンの球形状の受け部が、二次クラウンの球状の外殻に対して偏心して配置されている。
この実施形態では二次クラウンが２つの球状面を有しており、これら球状面が、支承部の構成要素となる。即ち、一方は、義歯又はブリッジに対する接続のための外殻、他方は一次クラウンのボールヘッドと嵌合する切り欠き部における内側面となる。２つの球形状面が互いに偏心して配置されていることが好ましい。球状面間の偏心により、一次クラウンに対してブリッジ又は義歯が並進的に動作することが更に可能となる。即ち、一次クラウンと二次クラウンの間並びに二次クラウンと義歯又はブリッジの間の球形状面それぞれは、回転動作のみを可能とするが、偏心させることにより、義歯又はブリッジが、追加的に並進的な動作を行うことができる。
【００１４】
好ましい変更形態によれば、二次クラウンの相補的に形成された受け部に入り込む一次クラウンの球状部分を弾性変形可能に形成することができる。これにより、１８０°以上の角度で受け部が広がり、隠れ部分（内部に隠れる部分）ができる場合でも、受け部に球状部分を挿入することが可能になる。
弾力性を用いて、一次クラウンの球状部分を押さえながら、一次クラウンを二次クラウンに形成される相補的形状の受け部に挿入することができる。挿入後は、球状の部分が再びその本来の形状に戻るので、一次クラウンと二次クラウン間で形状が合った状態の接続が得られる。逆に、受け部を弾性変形可能に形成することができる。弾力性に基づいて、二次クラウンの中空球状部分の口を開き、一次クラウンの球状部分を挿入することができる。挿入後は、二次クラウンの中空球状部分が再びその本来の形状に戻るので、一次クラウンと二次クラウン間で形状が合った状態の接続が得られる。
【００１５】
一次クラウン及び／又は二次クラウンにおける球状部分の弾力性は、弾性材料の選択及び／又は特別な設計構造により達成される。材料として、例えば硬質ゴム又は可撓性と弾力性はあるが十分に固いその他の材料を挙げることができる。好ましい設計構造では、一次クラウンの球状部分及び／又は二次クラウンの切り欠き部が弾性変形可能に形成され、当該部分を一緒に押さえる又は口を開けることができる。この実施形態では、一次クラウン及び二次クラウンは金属で構成されているが、基本的に、この実施方法でも材料として、硬質ゴム又は大きな自己弾力性を有する同等物を利用することができる。
【００１６】
他の利点及び目的に適した実施形態は、請求項、詳細な説明、図面から明らかになる。
【図面の簡単な説明】
【００１７】
【図１】一次クラウン、その上に装着される二次クラウン及び二次クラウンに装着される義歯を有する歯科インプラントの断面図である。図１に示す例において、二次クラウンの外殻が、部分球状に形成されるとともに義歯の中に設けられるとともに対応して形成される支承部の中に配される。
【図２】一次クラウンと二次クラウンを有する歯科インプラントの変更形態の断面図である。図２に示す例において、一次クラウンがスリーブ状に形成され、センターボルトを介して固定される。
【図３】一次クラウンと二次クラウンの間並びに二次クラウンと義歯の間に球状の接続部を有する歯科インプラントの別の変更形態に係る断面図である。
【図４】図３の歯科インプラントと同様に形成された更に別の歯科インプラントの断面図である。尚、二次クラウンの外殻に追加の突起部が設けられ、突起部が義歯の支承部中に形成される対応する切り欠き部に進入する。
【発明を実施するための形態】
【００１８】
（実施例１）
図１は、歯科インプラント（１）を示す。
歯科インプラント（１）は、患者の顎に固定されるフィクスチャ（２）と、フィクスチャ（２）にネジ止めされる一次クラウン（３）と、一次クラウンと接続する二次クラウン（４）と、二次クラウン（４）に装着される義歯（５）或いはブリッジ又はこれらに類するもので構成される。
フィクスチャ（２）と一次クラウン（３）の間のネジ接続は、フィクスチャ（２）に形成された内ネジ内部に一次クラウンに形成された外ネジを螺合させることにより行なわれる。
一次クラウン（３）は、上向きに突出するとともに円錐状に形成された突出部（１１）を備え、二次クラウン（４）は、突出部（１１）に対して相補的な形状をなす受け部（１２）を備える。一次クラウン（３）と二次クラウン（４）の間の接続は、突出部（１１）と受け部（１２）を嵌合させることによりなされる。２つの部分（１１，１２）間では摩擦固着がなされ、義歯又はブリッジを確実に保持することが可能である。また、２つの部材（３，４）間では、力の伝達が可能である。
【００１９】
二次クラウン（４）の外殻（６）は、部分球状に形成され、ボールジョイントの構成部品となる。ボールジョイントを構成することにより、二次クラウン（４）は、歯科インプラント（１）の長手方向軸（１３）に対してそれぞれ直角方向に延設する２つの軸周りに回転可能となり、二次クラウン（４）は、義歯又はブリッジ（５）に対して回転旋回揺動運動することが可能となる。外殻（６）は、義歯又はブリッジ（５）に形成された切り欠き部（８）に別個の構成部品として嵌め込まれている支承部（７）に面で嵌合する。二次クラウン（４）の外殻（６）及び支承部（７）が、一緒でジョイントを形成している。
【００２０】
二次クラウン（４）の外殻（６）の上方には突起部（９）が設けられる。突起部（９）は、一次クラウン（３）に形成された円錐状部分（１１）用に設けられた受け部（１２）の反対側に形成される。また、図１に示す組立状態において、突起部（９）は、支承部（７）に形成された切り欠き部（１０）内に進入する。切り欠き部（１０）は、部分（９）に対して一定の動作空間をもたらし、動作空間の範囲で、義歯（５）と二次クラウン（４）間の相対的な旋回揺動運動が可能となる一方で、動作空間は、この相対的運動に対して制限をもたらすこととなる。尚、二次クラウン（４）の外殻（６）の半径は、「Ｒ」の符号を用いて図示される。
【００２１】
（実施例２）
図２は、歯科インプラント（１）の一部を変更した実施形態を示す。
図２に示す実施形態では、一次クラウン（３）は、スリーブ状（筒状）に形成される。一次クラウン（３）に接続ボルト（１６）が嵌入し、一次クラウン（３）がフィクスチャ（２）に接続する。二次クラウン（４）の形態は、図１に示す実施形態と同一である。
一次クラウン（３）の円錐状部分（１１）の上端部には、面取り部（１４）が形成される。対応する面取り部（１５）が二次クラウン（４）の下端内面に形成される。２以上のインプラント部材間で大きな差異が存するとき、この面取り部（１４，１５）は、一次クラウン（３）と二次クラウン（４）間の接合を容易にする。
【００２２】
（実施例３）
図３は、歯科インプラント（１）の別の実施例を示す。
図３に示す例において、一次クラウン（３）と二次クラウン（４）間の接続は、ボールジョイント式の接続である。二次クラウン（４）は、断面中心角度が１８０°以上の範囲に広がる球状の受け部（１８）を備える。一次クラウン（３）の上部には、球状部分（１７）が形成される。球状部分（１７）は、受け部内で支承され、ジョイントとしての役割を担う。
一次クラウン（３）の球状部分又はボールヘッド（１７）は、半径ｒを有する。球形状の受け部（１８）も半径ｒを有する。したがって、受け部内は、空隙が存しない状態で、ボールヘッドを支承することとなる。尚、所望に応じて、空隙を設けて支承することも可能であり、この場合には、両半径寸法に差異を設ける。
【００２３】
二次クラウン（４）の外殻（６）も同様に球状に形成される。義歯又は被せ物（５）に切り欠き部（８）が形成され、切り欠き部（８）中に支承部（７）が配される。二次クラウン（４）は、支承部（７）に嵌合し、ジョイントとしての役割を担う。
図１に示す実施例と異なり、二次クラウン（４）の外殻（６）は突起部を備えず、全体的に球状に形成される。また、支承部（７）は、対応する球状空間を有する。外殻（６）又は支承部（７）の対応する球状空間内面の半径は、符号「Ｒ」を用いて図示されている。
【００２４】
更に、図３から明らかな如く、二次クラウン（４）に形成される２つの球状面（即ち、内面に形成される球状の受け部（１８）と外面に形成される球状の外殻（６））は、互いに偏心している。尚、偏心量は、符号「ｅ」で図示されている。
義歯（５）は、一次クラウン（３）に対して、長手方向軸（１３）に直角な２つの軸を中心とした回転運動が可能であるとともに、偏心量ｅにより、長手方向軸に対して平行な運動成分を有する動作をすることが可能である。したがって、二次クラウン（４）は、一次クラウン（３）の球状部分（１７）に対して旋回揺動するとともに、被せ物又は義歯（５）が二次クラウン（４）に対して旋回揺動することが可能となる。これらの回転動作の回転軸は互いに間隔ｅだけ離間している。
【００２５】
（実施例４）
図４に示す実施例は、基本的に図３と同様であり、同様部分に関しては、図３に関連する説明が参照となる。
図４に示す実施例は、図１及び図２に示す実施例と同様に、二次クラウン（４）の外殻（６）が突出する突起部（９）を備える。突起部（９）は、支承部（７）に形成される切り欠き部（１０）に進入する。また、突起部周囲に動作空間が形成される。
【図１】
2010500138.tif 000003
【図２】
2010500138.tif 000004
【図３】
2010500138.tif 000005
【図４】
2010500138.tif 000006
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
互いに接続される２つのインプラント部材である一次クラウン（３）と二次クラウン（４）からなり、
前記二次クラウン（４）が、該二次クラウン（４）の外殻（６）に被せられる義歯（５）又はブリッジを動かす台座であり、
前記二次クラウン（４）の前記外殻（６）が、少なくとも１つの面において、少なくとも円弧形状をなし、これにより、前記二次クラウン（４）の前記外殻（６）が、前記義歯（５）又はブリッジの支承部（７）で旋回揺動自在に嵌合する歯科インプラントであって、
前記義歯（５）又はブリッジが、前記支承部（７）用の切り欠き部（８）を備え、
前記一次クラウン（３）が少なくとも円弧形状で構成した部分（１１）を備え、
該部分（１１）に相補的な形状をなす受け部（１２）に前記部分（１１）が入り込むことを特徴とする歯科インプラント。
【請求項２】
前記外殻（６）が部分球状に形成されるとともに、前記義歯（５）又はブリッジの前記支承部（７）に、少なくとも２つの軸面周りに旋回揺動自在に嵌合することを特徴とする請求項１に記載の歯科インプラント。
【請求項３】
前記支承部（７）が、前記二次クラウン（４）の前記外殻（６）に対して、少なくとも部分的に相補的な形状をなす部分を備えることを特徴とする請求項１又は２記載の歯科インプラント。
【請求項４】
前記支承部（７）が、前記義歯（５）又はブリッジに形成された切り欠き部（８）の中に嵌込み可能な別個の部品であることを特徴とする請求項１乃至３いずれか１項に記載の歯科インプラント。
【請求項５】
前記二次クラウン（４）が、空隙部を形成することなく前記支承部（７）に嵌合することを特徴とする請求項１乃至４いずれか１項に記載の歯科インプラント。
【請求項６】
前記二次クラウン（４）の前記外殻（６）が、上方に突出する突起部（９）を備え、
該突起部が前記支承部（７）内で窪んだ前記切り欠き部（１０）に入り込むことを特徴とする請求項１乃至５いずれか１項に記載の歯科インプラント。
【請求項７】
前記突起部（９）が前記支承部（７）に入り込むとともに前記突起部周りに空隙部が形成されることを特徴とする請求項６記載の歯科インプラント。
【請求項８】
前記一次クラウン（３）と前記二次クラウン（４）間の接続が相補的形状をなす部分間で行なわれることを特徴とする請求項１乃至７いずれか１項に記載の歯科インプラント。
【請求項９】
前記一次クラウン（３）の部分（１１）が円錐状に形成されるとともに該部分に相補的な形状をなす二次クラウン（４）の受け部（１２）に進入し、前記一次クラウン（３）と前記二次クラウン（４）の接続がなされることを特徴とする請求項１乃至８いずれか１項に記載の歯科インプラント。
【請求項１０】
前記一次クラウン（３）の部分（１７）が、球状に形成されるとともに該部分に相補的な形状をなす二次クラウン（４）の受け部（１８）に嵌入し、前記一次クラウン（３）と前記二次クラウン（４）間の接続がなされることを特徴とする請求項１乃至９いずれか１項に記載の歯科インプラント。
【請求項１１】
前記二次クラウン（４）に形成された球状の前記受け部（１８）が、前記二次クラウン（４）の球状の前記外殻に対して偏心して形成されることを特徴とする請求項１０記載の歯科インプラント。
【請求項１２】
前記一次クラウン（３）の球状の前記部分（１７）及び／又は前記二次クラウン（４）に形成される球状の前記受け部（１８）が、弾性を有するように形成されることを特徴とする請求項１０又は１１記載の歯科インプラント。
【請求項１３】
前記一次クラウン（３）の球状の前記部分（１７）及び／又は前記二次クラウン（４）に形成される球状の前記受け部（１８）が、可撓性を有するとともに弾力性を有する硬質ゴムなどの材料から形成されることを特徴とする請求項１２記載の歯科インプラント。
【請求項１４】
前記切り欠き部が、前記一次クラウン（３）の球状の前記部分（１７）及び／又は前記二次クラウン（４）に形成される球状の前記受け部（１８）に弾性機能を付与することを特徴とする請求項１２又は１３に記載の歯科インプラント。
【請求項１５】
前記二次クラウン（４）に形成された前記受け部（１８）が、中心角１８０°以上の角度で球状に形成されることを特徴とする請求項１０乃至１４いずれか１項に記載の歯科インプラント。
【請求項１６】
前記一次クラウン（３）と前記二次クラウン（４）の互いに噛み合う部分の縁部に面取り部（１４又は１５）が形成されることを特徴とする請求項１乃至１５いずれか１項に記載の歯科インプラント。
【請求項１７】
前記義歯又はブリッジを挿入又は除去するときに、前記二次クラウン（４）と前記支承部（７）との間の回転動作が可能となることを特徴とする請求項１乃至１６いずれか１項に記載の歯科インプラント。
【国際調査報告】
2010500138.tif 000007
2010500138.tif 000008
2010500138.tif 000009
2010500138.tif 000010
2010500138.tif 000011
2010500138.tif 000012